(57)【要約】【課題】 セキュリティ管理区画の入退室において、１台の認証装置で入室・退室の双方を管理でき、不正な入退室を防止するための入退室管理装置を提供する。【解決手段】 回転部１１は、固定部１０に回転軸１２によって回転自在に固定され、壁面の外側・内側に１８０度回転可能となっている。認証装置１３は、回転部１１に固定されており、回転部１１の回転により、固定部１０の外側・内側に向きを変えることができる。入退室者が回転部１１を回転させ、認証装置１３を自分の方向に向けることにより、入退室識別スイッチ１４が固定部１０と接触して入退室の識別が可能となる。この入退室の識別情報と回転部１１に内蔵した入退室データ記憶装置から得られる、個人識別情報により特定される者の前回入退室データの情報により、退室していない入室者の再入室や入室していない退室者の退室を防ぐことができる。【選択図】   図１
2005194820.tif 000002
【特許請求の範囲】
【請求項１】
特定区画への入退室を管理する入退室管理装置であって、
個人識別情報を受け付け、該個人識別情報に基づいて個人認証を行う認証装置と、
前記認証装置が前記特定区画の外側および内側とのいずれにも向くように、該認証装置を回転自在に保持する保持部と、
前記特定区画の扉に設けられた電子錠の開閉を前記個人認証の結果に基づいて制御する電子錠制御部とを含むことを特徴とする入退室管理装置。
【請求項２】
請求項１に記載の入退室管理装置において、
前記認証装置の向きを検出する向き検出部をさらに含み、
前記認証装置は、前記向き検出部が前記認証装置は前記特定区画の外側を向いていると検出している際に前記個人認証を行った場合には、認証した個人の入室情報を生成し、前記向き検出部が前記認証装置は前記特定区画の内側を向いていると検出している際に前記個人認証を行った場合には、認証した個人の退室情報を生成することを特徴とする入退室管理装置。
【請求項３】
請求項２に記載の入退室管理装置において、
前記向き検出部は、前記認証装置が前記特定区画の外側を向いた際に入室信号を出力する入室識別スイッチと、前記認証装置が前記特定区画の内側を向いた際に退室信号を出力する退室識別スイッチとを含むことを特徴とする入退室管理装置。
【請求項４】
請求項２または３に記載の入退室管理装置において、
前記認証装置による認証結果と、前記認証した個人の入室情報および退室情報とを格納する格納部をさらに含むことを特徴とする入退室管理装置。
【請求項５】
請求項４に記載の入退室管理装置において、
前記電子錠制御部は、前記電子錠の開閉を、前記個人認証の結果と前記格納部に格納された入室情報および退室情報とに基づいて制御することを特徴とする入退室管理装置。
【請求項６】
請求項２ないし５のいずれか１項に記載の入退室管理装置において、
前記認証した個人の入室情報および退室情報とを出力する出力端子をさらに含むことを特徴とする入退室管理装置。
【発明の詳細な説明】
【技術分野】
【０００１】
本発明は、セキュリティ区画等の特定区画への人の入退室を管理する入退室管理装置に関する。
【背景技術】
【０００２】
従来、セキュリティ管理区画（例えば、研究室など）等の特定区画への人の入室および退室を管理する入退室管理システムが知られている。
【０００３】
特許文献１（特開平２−６４７６４号公報）には、セキュリティ管理区画への人の入退室を管理するために、セキュリティ管理区画の出入口近傍の側壁の内外のそれぞれに、入室または退室のための個人認証を行う認証装置が設置されている入退室管理システムが記載されている。
【０００４】
図６は、従来の入退室管理システムが有する認証装置の一例を示すブロック図である。
【０００５】
図６に示すように従来の入退室管理システムは、セキュリティ管理区画のドア側壁１００の外側１００ａに入室用認証装置３０ａが設置され、また、ドア側壁１００の内側１００ｂに退室用認証装置３０ｂが設置されている。
【０００６】
セキュリティ管理区画への入室時には入室用認証装置３０ａにて入室者の個人認証が行われ、セキュリティ管理区画からの退室時には退室用認証装置３０ｂにて退室者の個人認証が行われる。
【０００７】
図７は、従来の入退室管理システムを示したブロック図である。なお、図７において、図６に示したものと同一構成のものには同一符号を付してある。
【０００８】
図７に示した従来の入退室管理システムは、入室用認証装置３０ａと、退室用認証装置３０ｂと、入退室管理端末３２と、ドア電子錠３１とを含む。
【０００９】
入退室管理端末３２は、入室用認証装置３０ａから入室者データを受け付け、さらに、退室用認証装置３０ｂから退室者データを受け付ける。入退室管理端末３２は、受け付けた入室者データおよび退室者データとを格納し、利用者のセキュリティ管理区画の利用履歴を作成する。
【００１０】
入室用認証装置３０ａは、予め入室用認証装置３０ａに登録されている個人識別情報と異なる個人識別情報が入力された際にはドア電子錠３１を閉める。また、入室用認証装置３０ａは、退室していない者が再入室をしようとする場合の不正入退室を、入退室管理端末３２に格納された利用履歴を参照して検出し、ドア電子錠３１の開閉を制御する。
【００１１】
退室用認証装置３０ｂは、予め退室用認証装置３０ｂに登録されている個人識別情報と異なる個人識別情報が入力された際にはドア電子錠３１を閉める。また、退室用認証装置３０ｂは、入室していない者が退室しようとする場合の不正入退室を、入退室管理端末３２に格納された利用履歴を参照して検出し、ドア電子錠３１の開閉を制御する。
【特許文献１】特開平２−６４７６４号公報
【発明の開示】
【発明が解決しようとする課題】
【００１２】
従来の入退室管理システムでは、以下のような問題が生じる。
【００１３】
第１の問題点は、２台の認証装置、具体的には、入室用認証装置と退室用認証装置とが必要となることである。このため、入退室管理システムのコストが高くなってしまう。
【００１４】
その理由は、入室用認証装置は管理される居室の外側に設置され、退室用認証装置は管理される居室の内側に設置されるためである。したがって、入室と退室の双方を管理する場合、壁の外側と内側とのそれぞれに認証装置を設けなければならない。このため、認証装置の費用として、２台分の認証装置の費用がかかることになる。
【００１５】
第２の問題点は、入室と退室とを識別し、入室していない者が退室しようとした場合および退室していない者が再入室をしようとした場合等の不正入退室を検出するためには、認証装置の他に入退室管理端末が必要となることである。
【００１６】
その理由は、以下の通りである。
【００１７】
入室用認証装置で認証を受けた入室者は、退室時には入室時とは別の退室用認証装置で認証を受ける。このため、退室者が入室した履歴があるかどうかの確認は、退室用認証装置だけではできない。また、退室用認証装置で認証を受けた退室者は、再入室時には退室時とは別の入室用認証装置で認証を受ける。このため、入室者が退室した履歴があるかどうかの確認は、入室用認証装置だけではできない。したがって、入室と退室との双方向のデータを管理し、入室と退室との履歴をとるための入退室管理端末が必要となる。
【００１８】
本発明の目的は、１台の認証装置でセキュリティ区画等の特定区画への入室および退室を管理することが可能な入退室管理装置を提供することである。
【課題を解決するための手段】
【００１９】
上記の目的を達成するために、本発明の入退室管理装置は、特定区画への入退室を管理する入退室管理装置であって、個人識別情報を受け付け、該個人識別情報に基づいて個人認証を行う認証装置と、前記認証装置が前記特定区画の外側および内側とのいずれにも向くように、該認証装置を回転自在に保持する保持部と、前記特定区画の扉に設けられた電子錠の開閉を前記個人認証の結果に基づいて制御する電子錠制御部とを含むことを特徴とする。
【００２０】
上記の発明によれば、保持部は、認証装置が特定区画の外側および内側とのいずれにも向くように認証装置を回転自在に保持する。このため、特定区画の扉に設けられた電子錠を開けるために認証装置を使用する者は、認証装置を回転させることによって、認証装置を特定区画の外側および内側で使用することが可能となる。したがって、１台の認証装置で特定区画への入室および退室を管理することが可能となる。
【００２１】
また、上記の入退室管理装置において、前記認証装置の向きを検出する向き検出部をさらに含み、前記認証装置は、前記向き検出部が前記認証装置は前記特定区画の外側を向いていると検出している際に前記個人認証を行った場合には、認証した個人の入室情報を生成し、前記向き検出部が前記認証装置は前記特定区画の内側を向いていると検出している際に前記個人認証を行った場合には、認証した個人の退室情報を生成することが望ましい。
【００２２】
上記の発明によれば、認証装置は、向き検出部が認証装置は特定区画の外側を向いていると検出している際に個人認証を行った場合には、認証した個人の入室情報を生成し、向き検出部が認証装置は特定区画の内側を向いていると検出している際に個人認証を行った場合には、認証した個人の退室情報を生成する。よって、認証装置は、自己の向きに応じて、認証した個人の入室および退室とを識別することができる。このため、認証装置は、入室管理用の認証装置および退室管理用の認証装置として用いられることが可能となる。
【００２３】
また、上記の入退室管理装置において、前記向き検出部は、前記認証装置が前記特定区画の外側を向いた際に入室信号を出力する入室識別スイッチと、前記認証装置が前記特定区画の内側を向いた際に退室信号を出力する退室識別スイッチとを含むことが望ましい。
【００２４】
また、上記の入退室管理装置において、前記認証装置による認証結果と、前記認証した個人の入室情報および退室情報とを格納する格納部をさらに含むことが望ましい。
【００２５】
上記の発明によれば、認証した個人の入室情報および退室情報とが格納部に格納される。格納部に格納された入室情報および退室情報とを参照すれば、特定区画を利用した個人の履歴を確認することが可能となる。
【００２６】
また、上記の入退室管理装置において、前記電子錠制御部は、前記電子錠の開閉を、前記個人認証の結果と前記格納部に格納された入室情報および退室情報とに基づいて制御することが望ましい。
【００２７】
上記の発明によれば、電子錠の開閉を、認証装置による個人認証の結果と格納部に格納された入室情報および退室情報とに基づいて制御する。格納部に格納された入室情報および退室情報は、個人の特定区画の利用履歴を示す。このため、特定区画から退室していない利用者の再入室および特定区画に入室していない利用者の退室といった不正入退室を、認証装置による個人認証の結果と格納部に格納された入室情報および退室情報とに基づいて検出することが可能となる。したがって、電子錠の開閉を不正入退室の検出結果に基づいて制御することが可能となる。
【００２８】
また、上記の入退室管理装置において、前記認証した個人の入室情報および退室情報とを出力するための出力端子をさらに含むことが望ましい。
【００２９】
上記の発明によれば、認証装置が認証した個人の入室情報および退室情報とを外部の管理端末に供給することが可能となる。
【発明の効果】
【００３０】
本発明によれば、保持部は、認証装置が特定区画の外側および内側とのいずれにも向くように認証装置を回転自在に保持する。このため、特定区画の扉に設けられた電子錠を開けるために認証装置を使用する者は、認証装置を回転させることによって、認証装置を特定区画の外側および内側で使用することが可能となる。したがって、１台の認証装置で特定区画への入室および退室を管理することが可能となる。
【００３１】
また、認証装置は、向き検出部が認証装置は特定区画の外側を向いていると検出している際に個人認証を行った場合には、認証した個人の入室情報を生成し、向き検出部が認証装置は特定区画の内側を向いていると検出している際に個人認証を行った場合には、認証した個人の退室情報を生成する。よって、認証装置は、自己の向きに応じて、認証した個人の入室および退室とを識別することができる。このため、認証装置は、入室管理用の認証装置および退室管理用の認証装置として用いられることが可能となる。
【００３２】
また、電子錠の開閉を、認証装置による個人認証の結果と格納部に格納された入室情報および退室情報とに基づいて制御する。格納部に格納された入室情報および退室情報は、個人の特定区画の利用履歴を示す。このため、特定区画から退室していない利用者の再入室および特定区画に入室していない利用者の退室といった不正入退室を、認証装置による個人認証の結果と格納部に格納された入室情報および退室情報とに基づいて検出することが可能となる。したがって、電子錠の開閉を不正入退室の検出結果に基づいて制御することが可能となる。
【発明を実施するための最良の形態】
【００３３】
以下、本発明の一実施例を図面を参照して説明する。
【００３４】
図１は、特定区画としてのセキュリティ管理区画の側壁に設置された、本発明の一実施例の入退室管理装置を示した斜視図である。なお、セキュリティ管理区画は、例えば、特定の部屋または研究室である。
【００３５】
図１において、本実施例の入退室管理装置１は、固定部１０と、回転部１１と、回転軸１２と、認証装置１３と、入退室識別スイッチ１４（入室識別スイッチ１４ａと退室識別スイッチ１４ｂ）と、電源供給ライン１５と、電子錠制御ライン１６と、外部入出力インターフェース１７とを含む。
【００３６】
図１（ａ）は、入退室管理装置１を示した斜視図である。
【００３７】
固定部１０は、セキュリティ管理区画の側壁に設置される。具体的には、固定部１０は、固定部１０の外側１０ａがセキュリティ管理区画の外側となり、固定部１０の内側１０ｂがセキュリティ管理区画の内側となるように、セキュリティ管理区画の側壁に設置される。
【００３８】
回転部１１は、回転軸１２を中心に１８０度回転可能となるように、固定部１０（例えば、固定部１０に設けられた回転軸受部）によって回転自在に保持されている。回転部１１の回転範囲は、回転部１１に設けられている凸部１１ａによって規定される。具体的には、凸部１１ａが固定部１０と接触することによって、回転部１１の回転範囲が規制される。なお、回転部１１の回転範囲は、１８０度に限るものではなく適宜変更可能である。なお、固定部１０と回転部１１とで保持部を構成する。
【００３９】
認証装置１３は、指紋または暗証番号等の個人識別情報を受け付け、受け付けた個人識別情報に基づいて個人認証を行う。具体的には、認証装置１３は、受け付けた個人識別情報が、予め認証装置１３に登録されている個人識別情報と一致するか否かを確認することにより個人認証を行う。
【００４０】
認証装置１３は、回転部１１に固定されている。認証装置１３は、回転部１１の回転により、外側１０ａおよび内側１０ｂとのいずれにも向くように向きを変えることができる。
【００４１】
回転部１１には、入室識別スイッチ１４ａと退室識別スイッチ１４ｂとが設置されている。さらに言えば、入室識別スイッチ１４ａと退室識別スイッチ１４ｂとのそれぞれは、各凸部１１ａに設けられている。
【００４２】
入室識別スイッチ１４ａは、認証装置１３が外側１０ａを向いている際に固定部１０の外側１０ａと接触することによって入室信号を出力する。退室識別スイッチ１４ｂは、認証装置１３が内側１０ａを向いている際に固定部１０の内側１０ｂと接触することによって退室信号を出力する。
【００４３】
図１（ｂ）は、回転部１１を示した斜視図である。
【００４４】
回転部１１は、円柱形の構造をしており、その中心に回転軸１２を有する。
【００４５】
回転軸１２には、入退室管理装置１内部の各回路に外部から電源を供給するための電源供給ライン１５と、セキュリティ管理区画のドアの電子錠の開閉を制御するための電子錠制御ライン１６および入退室データの履歴を保存するための外部管理端末と接続する場合に使用する外部入出力インターフェース（出力端子）が備えられている。
【００４６】
図１（ｃ）は、入退室識別スイッチ１４を示した斜視図である。
【００４７】
入退室識別スイッチ（向き検出部）としての入室識別スイッチ１４ａおよび退室識別スイッチ１４ｂは、回転部１１の側面に設置された凸部１１ａに設けられており、回転部１１を回転させた際に固定部１０と接触する凸部１１ａの面に設けられている。
【００４８】
認証装置１３は、入室識別スイッチ１４ａが入室信号を出力している際に個人認証を行った場合には、認証した個人の入室データ（入室情報）を生成し、退室識別スイッチ１４ｂが退室信号を出力している際に個人認証を行った場合には、認証した個人の退室データ（退室情報）を生成する。認証装置１３が生成する入室データおよび退室データは、入退室データとして用いられる。
【００４９】
したがって、認証装置１３は、自己の向きに応じて、認証した個人の入室および退室とを識別することができる。このため、認証装置１３は、入室管理用の認証装置および退室管理用の認証装置として用いられることが可能となる。
【００５０】
図２は、入退室管理装置１の内部回路構成および外部との接続の一例を示したブロック図である。なお、図２において、図１に示したものと同一構成のものには同一符号を付してある。
【００５１】
入退室管理装置１は、認証装置１３と、入室識別スイッチ１４ａと、退室識別スイッチ１４ｂと、外部入出力インターフェース（出力端子）１７と、入退室データ記憶装置（格納部）１８と、電子錠制御回路１９とを含む。
【００５２】
認証装置１３は、個人識別情報の登録機能、個人識別情報の入力機能および登録済みの個人識別情報と入力された個人識別情報との比較機能とを有する。
【００５３】
入室識別スイッチ１４ａおよび退室識別スイッチ１４ｂとは、認証装置１３がセキュリティ管理区画の外側・内側のどちらを向いているかを識別する。
【００５４】
入退室データ記憶装置１８は、認証装置１３に入力された個人識別情報によって特定される個人の認証装置１３による認証結果および認証装置１３が生成した入退室データ（入室データと退室データ）とを利用履歴として記録する。したがって、入退室データ記憶装置１８に記録された入退室データとを参照すれば、特定区画を利用した個人の履歴を確認することが可能となる。
【００５５】
電子錠制御部としての電子錠制御回路１９は、電子錠制御ライン１６を通してセキュリティ管理区画の扉に設けられたドア電子錠２１の開閉を制御する。例えば、電子錠制御回路１９は、ドア電子錠２１の開閉を、認証装置１３による個人認証の結果に基づいて制御する。さらに言えば、電子錠制御回路１９は、ドア電子錠２１の開閉を、認証装置１３による個人認証の結果および入退室データ記憶装置１８に記録された入退室データとに基づいて制御する。
【００５６】
したがって、セキュリティ管理区画から退室していない利用者の再入室およびセキュリティ管理区画に入室していない利用者の退室といった不正入退室を、認証装置１３による個人認証の結果と入退室データ記憶装置１８に記録された入退室データとに基づいて検出することが可能となる。よって、電子錠制御回路１９は、ドア電子錠２１の開閉を不正入退室の検出結果に基づいて制御することが可能となる。
【００５７】
入退室データ記憶装置１８は、外部入出力インターフェース１７を通して外部管理端末２２に接続可能である。外部入出力インターフェース１７は、認証装置１３によって認証された個人の入室データおよび退室データとを入退室データ記憶装置１８から出力する。
【００５８】
電源供給ライン１５は、入退室管理装置１内部の各回路に外部電源２３を供給する。
【００５９】
次に、入退室管理装置１の動作を説明する。
【００６０】
図３は、入退室管理装置１において、回転部１１が回転する状態を示した説明図である。なお、図３において、図１に示したものと同一構成のものには同一符号を付してある。
【００６１】
図３において、外側１０ａ（手前側）をセキュリティ管理区画外側、内側１０ｂ（奥側）をセキュリティ管理区画内側とした場合、入室者は入室時には回転部１１を回転させ、認証装置１３をセキュリティ管理区画外側に向ける。このとき、入室識別スイッチ１４ａが固定部１０の外側１０ａと接触して入室信号が認証装置１３に入力される。
【００６２】
入室者は退室時には回転部１１を回転させ、認証装置１３をセキュリティ管理区画内側に向ける。このとき、退室識別スイッチ１４ｂが固定部１０の内側１０ｂと接触して退室信号が認証装置１３に入力される。
【００６３】
図４は、入退室管理装置１の動作を説明するためのフローチャートである。以下、図４を参照して入退室管理装置１の動作を説明する。
【００６４】
まず、セキュリティ管理区画への入室の場合の動作を説明する。
【００６５】
入室者が認証装置１３を入室側（外側１０ａ）に向け、入室識別スイッチ１４ａから認証装置１３に入室信号が入力されると（ステップ４ａ）、認証装置１３は退室識別スイッチ１４ｂが退室信号を出力していないことを確認する（ステップ４ｂ）。
【００６６】
ステップ４ｂで退室識別スイッチ１４ｂが退室信号を出力していた場合、認証装置１３は、装置異常として認証装置１３上にエラー表示を行って動作を停止する（ステップ４ｃ）。
【００６７】
ステップ４ｂで、退室識別スイッチ１４ｂが退室信号を出力していないことが確認されると、認証装置１３は、個人識別情報入力待ち状態となり（ステップ４ｄ）、ここで入室者は、指紋や暗証番号、ＩＤカード等の個人識別情報を認証装置１３に入力する（ステップ４ｅ）。
【００６８】
入力された個人識別情報は、事前に認証装置１３内に登録された個人識別情報と認証装置１３によって比較される（ステップ４ｆ）。
【００６９】
ステップ４ｆで、両者が一致した場合、認証装置１３は、入力された個人識別情報によって特定される個人の入室データを生成し、さらに、生成した個人の入室データと、入退室データ記憶装置１８に記録されている、入力された個人識別情報によって特定される個人の前回の入退室データとを比較する（ステップ４ｇ）。
【００７０】
ステップ４ｇにおいて、前回の入退室データの方向が今回の入退室データの方向と逆方向であった場合、具体的には今回の入退室データが入室データの場合は前回の入退室データが退室データであった場合のみ、認証装置１３は、入室フラグ（入室データ）と認証時刻と入室者名（個人識別情報）とを関連づけて入退室データ記憶装置１８に記録する（ステップ４ｈ）。
【００７１】
さらに認証装置１３は、電子錠制御回路１９を通してドア電子錠２１に開錠信号を送信し、ドア電子錠２１を開錠する（ステップ４ｉ）。具体的には、認証装置１３は、ステップ４ｆおよびステップ４ｇとの判断結果に基づいて電子錠制御回路１９を制御することになる。したがって、電子錠制御回路１９は、ドア電子錠２１の開閉を、認証装置１３による個人認証の結果および入退室データ記憶装置１８に記録された入退室データとに基づいて制御する。
【００７２】
ステップ４ｆにおいて、ステップ４ｅで入力された個人識別情報が、事前に認証装置１３内に登録された個人識別情報と不一致の場合、認証装置１３は入退室フラグと認証時刻と認証失敗の記録とを関連づけて入退室データ記憶装置１８に記録する（ステップ４ｊ）。
【００７３】
ステップ４ｇにおいて、前回の入退室データが今回の入退室の方向と同方向だった場合、具体的には今回の入退室データが入室データの場合は前回の入退室データが入室データであった場合、認証装置１３は入退室フラグと認証時刻と認証者名（個人識別情報）と不正認証の記録とを関連づけて入退室データ記憶装置１８に不正入退室データとして記録する（ステップ４ｊ）。
【００７４】
次に、セキュリティ管理区画からの退室の場合の動作を説明する。
【００７５】
入室者が認証装置１３を退室側（内側１０ｂ）に向け、退室識別スイッチ１４ｂが退室信号を出力すると（ステップ４ｋ）、認証装置１３は処理をステップ４ｄに移す。
【００７６】
入室者は、指紋や暗証番号、ＩＤカード等の個人識別情報を認証装置１３に入力する（ステップ４ｅ）。入力された個人識別情報は、事前に認証装置１３内に登録された個人識別情報と認証装置１３によって比較される（ステップ４ｆ）。
【００７７】
ステップ４ｆで、両者が一致した場合、認証装置１３は、入力された個人識別情報によって特定される個人の退室データを生成し、さらに、生成した個人の退室データと、入退室データ記憶装置１８に記録されている、入力された個人識別情報によって特定される個人の前回の入退室データとを比較する（ステップ４ｇ）。
【００７８】
ステップ４ｇにおいて、前回の入退室データの方向が今回の入退室データの方向と逆方向であった場合、すなわち今回の入退室データが退室データの場合は前回の入退室データが入室データであった場合のみ、認証装置１３は、退室フラグ（退室データ）と認証時刻と退室者名（個人識別情報）とを関連づけて入退室データ記憶装置１８に記録する（ステップ４ｈ）。
【００７９】
また、ステップ４ｇにおいて、前回の入退室データが今回の入退室の方向と同方向だった場合、具体的には今回の入退室データが退室データの場合は前回の入退室データが退室データであった場合、認証装置１３は入退室フラグと認証時刻と認証者名（個人識別情報）と不正認証の記録とを関連づけて入退室データ記憶装置１８に不正入退室データとして記録する（ステップ４ｊ）。以下、上記と同様に動作する。
【００８０】
以上の処理を、例えば、認証装置１３内部のＣＰＵで制御することにより、入退室管理が行われる。
【００８１】
本実施例の入退室管理装置は、セキュリティ管理区画の壁面に設置した認証装置１３を回転可能な状態として、セキュリティ管理区画の外側・内側の双方からアクセス可能な構造としている。また、入室・退室の識別スイッチ（入室識別スイッチ１４ａと退室識別スイッチ１４ｂ）を設け、入力された個人識別情報が入室者のものか退室者のものかを識別できるようにしている。
【００８２】
入室の認証時には、認証装置１３はセキュリティ管理区画の外側を向くように入室予定者によりセットされ、同時に認証装置１３は入室識別スイッチ１４ａの入力により入室の認証であることを識別する。一方退室の認証時には、認証装置１３はセキュリティ管理区画の内側を向くように退室予定者によりセットされ、同時に認証装置１３は退室識別スイッチ１４ｂの入力により退室の認証であることを識別する。
【００８３】
したがって、１台の認証装置により入室・退室の双方向の認証が可能であり、認証装置の費用を削減できる効果が得られる。
【００８４】
また、本実施例の入退室管理装置は、入退室の履歴を残す入退室データ記憶装置１８を入退室管理装置１の内部に設けている。入退室管理装置が入退室データ記憶装置１８を内蔵することにより、外部に設置する入退室管理端末を省略することも可能となり、この場合、外部に設置する入退室管理端末の費用を削減できる効果が得られる。
【００８５】
さらに、入室・退室の識別が可能であるため、退室していない入室者の再入室や、入室していない退室者の退室を防ぐことができ、セキュリティ管理向上の効果が得られる。
【００８６】
なお、入室識別スイッチ１４ａと退室識別スイッチ１４ｂとは、回転部１１の上面、または底面、または固定部１０側に設置することも可能である。
【００８７】
図５（ａ）は、入室識別スイッチ１４ａと退室識別スイッチ１４ｂとを回転部１１の上面に設置した場合の一例を示した斜視図であり、図５（ｂ）は、入室識別スイッチ１４ａと退室識別スイッチ１４ｂとを固定部１０に設置した場合の斜視図である。なお、図５において、図２で示したものと同一構成のものには同一符号を付してある。
【００８８】
また、回転部１１の形状は円柱形に限るものではなく、例えば四角柱の形状であってもよい。図５（ｃ）は、回転部１１の形状を四角柱とした場合の一例を示した斜視図である。
【００８９】
本実施例によれば、１台の認証装置だけで入室・退室の双方向の認証を管理でき、入退室管理装置にかかる費用を削減できる。
【００９０】
その理由は、認証装置がセキュリティ管理区画の外側・内側に向きを変えることが可能であり、同時に入退室識別スイッチ（入室識別スイッチ１４ａと退室識別スイッチ１４ｂ）からの入力により入室・退室を識別できるからである。
【００９１】
また、本実施例によれば、入室・退室を識別し、入室していない者が退室しようとした場合や、退室していない者が再入室をしようとした場合等の不正入退室の検出が、外部に入退室管理端末を接続することなく可能なため、入退室管理端末にかかる費用を削減できる。
【００９２】
その理由は、入退室管理装置側面に設けた入退室識別スイッチ（入室識別スイッチ１４ａと退室識別スイッチ１４ｂ）で入室・退室が判別できるため、および入退室管理装置内部に設けた入退室データ記憶装置１８により、前回入退室データが確認できるためである。
【００９３】
以上説明した実施例において、図示した構成は単なる一例であって、本発明はその構成に限定されるものではない。
【図面の簡単な説明】
【００９４】
【図１】本発明の一実施例の入退室管理装置を示した斜視図である。
【図２】本発明の一実施例の入退室管理装置を示したブロック図である。
【図３】本入退室管理装置の回転部を回転させた状態を示した斜視図である。
【図４】本入退室管理装置の動作を説明するためのフローチャートである。
【図５】本発明の他の実施例の入退室管理装置を示した斜視図である。
【図６】従来の入退室管理装置を示した斜視図である。
【図７】従来の入退室管理装置を示したブロック図である。
【符号の説明】
【００９５】
１      入退室管理装置
１０      固定部
１０ａ    外側
１０ｂ    内側
１１      回転部
１２      回転軸
１３      認証装置
１４      入退室識別スイッチ
１４ａ    入室識別スイッチ
１４ｂ    退室識別スイッチ
１５      電源供給ライン
１６      電子錠制御ライン
１７      外部入出力インターフェース
１８      入退室データ記憶装置
１９      電子錠制御回路
２１      ドア電子錠
２２      外部管理端末
２３      電源
【図１】
2005194820.tif 000003
【図２】
2005194820.tif 000004
【図３】
2005194820.tif 000005
【図４】
2005194820.tif 000006
【図５】
2005194820.tif 000007
【図６】
2005194820.tif 000008
【図７】
2005194820.tif 000009